【手続補正書】
【提出日】平成24年4月12日(2012.4.12)
【手続補正１】
【補正対象書類名】特許請求の範囲
【補正対象項目名】全文
【補正方法】変更
【補正の内容】
【特許請求の範囲】
【請求項１】
クリップ配信スケジュールを与える方法であって、
コンテンツクリップが配信ネットワーク上で利用可能になる時間間隔を記述するコンタクトウィンドウを、放送によって受信することと、
前記コンタクトウィンドウに関連する受信パラメータを、放送によって受信することと、ここにおいて、前記受信パラメータは、前記コンテンツクリップの受信が始まるべきでない前記コンタクトウィンドウ内の時間間隔を示す、
前記コンテンツクリップを受信するために前記時間間隔内で受信時間をスケジュールすることと、
スケジュールされた受信時間に、前記受信パラメータによって示された前記時間間隔内に前記コンテンツクリップを、放送によって受信することと、
を備える方法。
【請求項２】
情報メッセージにおいて前記コンタクトウィンドウを受信することを更に備える、請求項１に記載の方法。
【請求項３】
前記受信時間までパワーを節約することを更に備える、請求項１に記載の方法。
【請求項４】
前記コンテンツクリップを受信するために前記受信時間に低パワーモードからウェイクアップすることを更に備える、請求項１に記載の方法。
【請求項５】
オペレータ入力と応募されたサービスの１つまたは両方に基づいてユーザにとって関心のある１つ以上のクリップを決定することを更に備える、請求項１に記載の方法。
【請求項６】
前記コンテンツクリップが前記配信ネットワーク上でいつ利用可能になるかを記述する１つ以上の追加的コンタクトウィンドウを決定することと、
前記１つ以上の追加的コンタクトウィンドウのうちの少なくとも１つにおいて前記コンテンツクリップを受信することと、
を更に備える、請求項１に記載の方法。
【請求項７】
前記コンタクトウィンドウに関連する受信パラメータを受信することを更に備える、請求項１に記載の方法。
【請求項８】
前記コンテンツクリップが、前記受信パラメータに基づいて前記時間間隔内に受信され得るかどうかを決定することを更に備える、請求項７に記載の方法。
【請求項９】
クリップ配信スケジュールを与える装置であって、
コンテンツクリップが配信ネットワーク上で利用可能になる時間間隔を記述するコンタクトウィンドウを、放送によって受信し、前記コンタクトウィンドウに関連する受信パラメータを、放送によって受信するように構成された通信ロジックと、前記受信パラメータは、前記コンテンツクリップの受信が始まるべきでない前記コンタクトウィンドウ内の時間間隔を示す、
前記時間間隔内に前記コンテンツクリップを受信するために受信時間をスケジュールするように、及び前記スケジュールされた受信時間に、前記受信パラメータによって示された前記時間間隔内に前記コンテンツクリップを、放送によって受信するように構成されたスケジューリングロジックと、
を備える装置。
【請求項１０】
前記通信ロジックは、情報メッセージにおいて前記コンタクトウィンドウを受信するように構成された、請求項９に記載の装置。
【請求項１１】
前記処理ロジックは、前記受信時間までパワーを節約するように構成された、請求項９に記載の装置。
【請求項１２】
前記通信ロジックは、前記コンテンツクリップを受信するために前記受信時間に低パワーモードからウェイクアップするように構成された、請求項９に記載の装置。
【請求項１３】
前記処理ロジックは、オペレータ入力と応募されたサービスの１つまたは両方に基づいてユーザにとって関心のある１つ以上のクリップを決定するように構成された、請求項９に記載の装置。
【請求項１４】
前記スケジューリングロジックは、前記コンテンツクリップが前記配信ネットワーク上でいつ利用可能になるかを記述する１つ以上の追加的コンタクトウィンドウを決定するように、また前記１つ以上の追加的コンタクトウィンドウのうちの少なくとも１つにおいて前記コンタクトクリップを受信するように構成された、請求項９に記載の装置。
【請求項１５】
前記スケジューリングロジックは、前記コンタクトウィンドウに関連する受信パラメータを受信するように構成された、請求項９に記載の装置。
【請求項１６】
前記スケジューリングロジックは、前記コンテンツクリップが前記受信パラメータに基づいて前記時間間隔内に受信され得るかどうかを決定するように構成された、請求項１５に記載の装置。
【請求項１７】
クリップ配信スケジュールを与える装置であって、
コンテンツクリップが配信ネットワーク上で利用可能になる時間間隔を記述するコンタクトウィンドウを、放送によって受信するための手段と、
前記コンタクトウィンドウに関連する受信パラメータを、放送によって受信するための手段と、ここにおいて、前記受信パラメータは、前記コンテンツクリップの受信が始まるべきでない前記コンタクトウィンドウ内の時間間隔を示す
前記時間間隔内に前記コンテンツクリップを受信するために受信時間をスケジュールするための手段と、
前記スケジュールされた受信時間に、前記受信パラメータによって示された前記時間間隔内に前記コンテンツクリップを、放送によって受信するための手段と、
を備える装置。
【請求項１８】
情報メッセージにおいて前記コンタクトウィンドウを受信するための手段を更に備える、請求項１７に記載の装置。
【請求項１９】
前記受信時間までパワーを節約するための手段を更に備える、請求項１７に記載の装置。
【請求項２０】
前記コンテンツクリップを受信するために前記受信時間に低パワーモードからウェイクアップするための手段を更に備える、請求項１７に記載の装置。
【請求項２１】
オペレータ入力と応募されたサービスの１つまたは両方に基づいてユーザにとって関心のある１つ以上のクリップを決定するための手段を更に備える、請求項１７に記載の装置。
【請求項２２】
前記コンテンツクリップが前記配信ネットワーク上でいつ利用可能になるかを記述する１つ以上の追加的コンタクトウィンドウを決定するための手段と、
前記１つ以上の追加的コンタクトウィンドウのうちの少なくとも１つにおいて前記コンタクトクリップを受信するための手段と、を更に備える、請求項１７に記載の装置。
【請求項２３】
前記コンタクトウィンドウに関連する受信パラメータを受信するための手段を更に備える、請求項１７に記載の装置。
【請求項２４】
前記コンテンツクリップが、前記受信パラメータに基づいて前記時間間隔内に受信され得るかどうかを決定するための手段を更に備える、請求項２３に記載の装置。
【請求項２５】
少なくとも１つのプロセッサによって実行されるときに、クリップ配信スケジュールを与えるように動作するコンピュータプログラムを有するコンピュータ可読媒体であって、前記コンピュータプログラムは、
コンテンツクリップが配信ネットワーク上で利用可能になる時間間隔を記述するコンタクトウィンドウを、放送によって受信する命令と、
前記コンタクトウィンドウに関連する受信パラメータを、放送によって受信する命令と、ここにおいて、前記受信パラメータは、前記コンテンツクリップの受信が始まるべきでない前記コンタクトウィンドウ内の時間間隔を示す、
前記時間間隔内に前記コンテンツクリップを受信するために受信時間をスケジュールする命令と、
前記スケジュールされた受信時間に、前記受信パラメータによって示された前記時間間隔内に前記コンテンツクリップを、放送によって受信する命令と、
を備えるコンピュータ可読媒体。
【請求項２６】
情報メッセージにおいて前記コンタクトウィンドウを受信する命令を更に備える、請求項２５に記載のコンピュータプログラム。
【請求項２７】
前記受信時間までパワーを節約する命令を更に備える、請求項２５に記載のコンピュータプログラム。
【請求項２８】
前記コンテンツクリップを受信するために前記受信時間に低パワーモードからウェイクアップする命令を更に備える、請求項２５に記載のコンピュータプログラム。
【請求項２９】
オペレータ入力と応募されたサービスの１つまたは両方に基づいてユーザにとって関心のある１つ以上のクリップを決定する命令を更に備える、請求項２５に記載のコンピュータプログラム。
【請求項３０】
前記コンテンツクリップが前記配信ネットワーク上でいつ利用可能になるかを記述する１つ以上の追加的コンタクトウィンドウを決定する命令と、
前記１つ以上の追加的コンタクトウィンドウのうちの少なくとも１つにおいて前記コンテンツクリップを受信する命令と、を更に備える、請求項２５に記載のコンピュータプログラム。
【請求項３１】
前記コンタクトウィンドウに関連する受信パラメータを受信する命令を更に備える、請求項２５に記載のコンピュータプログラム。
【請求項３２】
前記コンテンツクリップが前記受信パラメータに基づいて前記時間間隔内に受信され得るかどうかを決定する命令を更に備える、請求項３１に記載のコンピュータプログラム。
【請求項３３】
クリップ配信スケジュールを与える方法を実行するように構成された少なくとも１つのプロセッサであって、前記方法は、
コンテンツクリップが配信ネットワーク上で利用可能になる時間間隔を記述するコンタクトウィンドウを、放送によって受信することと、
前記コンタクトウィンドウに関連する受信パラメータを、放送によって受信することと、ここにおいて、前記受信パラメータは、前記コンテンツクリップの受信が始まるべきでない前記コンタクトウィンドウ内の時間間隔を示す、
前記時間間隔内に前記コンテンツクリップを受信するために受信時間をスケジュールすること、
前記スケジュールされた受信時間に、前記受信パラメータによって示された前記時間間隔内に前記コンテンツクリップを、放送によって受信することと
を備える、少なくとも１つのプロセッサ。
【請求項３４】
情報メッセージにおいて前記コンタクトウィンドウを受信することを更に備える、請求項３３に記載の方法。
【請求項３５】
前記受信時間までパワーを節約することを更に備える、請求項３３に記載の方法。
【請求項３６】
前記コンテンツクリップを受信するために前記受信時間に低パワーモードからウェイクアップすることを更に備える、請求項３３に記載の方法。
【請求項３７】
オペレータ入力と応募されたサービスの１つまたは両方に基づいてユーザにとって関心のある１つ以上のクリップを決定することを更に備える、請求項３３に記載の方法。
【請求項３８】
応募されたサービスに基づいて前記ユーザにとって関心のある１つ以上のクリップを決定することを更に備える、請求項３３に記載の方法。
【請求項３９】
前記コンテンツクリップが前記配信ネットワーク上でいつ利用可能になるかを記述する１つ以上の追加的コンタクトウィンドウを決定することと、
前記１つ以上の追加的コンタクトウィンドウのうちの少なくとも１つにおいて前記コンテンツクリップを受信することと、を更に備える、請求項３３に記載の方法。
【請求項４０】
前記受信パラメータに基づいて前記コンテンツクリップが前記時間間隔内に受信され得るかどうかを決定することを更に備える、請求項３９に記載の方法。